(57)【要約】【課題】表示品位に優れた画像表示システムを提供する。【解決手段】画像表示システムは、表示画像に対応付けられた信号を送信する送信部を有し、左目用の画像と右目用の画像とを交互に表示する液晶表示装置と、液晶シャッタと、を備えている。液晶シャッタは、第１液晶パネルと、第２液晶パネルと、上記信号を受信可能な受信部と、駆動部と、を有している。駆動部は、液晶表示装置における左目用の画像の書込み終了タイミングから第１特定時間ＩＰ１遅延して第１液晶パネルを透過状態から非透過状態に切替え、液晶表示装置における右目用の画像の書込み終了タイミングから第２特定時間ＩＰ２遅延して第２液晶パネルを透過状態から非透過状態に切替える。【選択図】図９
2013031063.tif 000002
【特許請求の範囲】
【請求項１】
表示画像に対応付けられた信号を送信する送信部を有し、左目用の画像と右目用の画像とを交互に表示する液晶表示装置と、
一対の電極基板及び前記電極基板間に挟持された液晶層を含み、左目の視界を覆い、左目に入射される光を透過する透過状態及び左目に入射される光を遮蔽する非透過状態に切替え可能な第１液晶パネルと、一対の電極基板及び前記電極基板間に挟持された液晶層を含み、右目の視界を覆い、右目に入射される光を透過する透過状態及び右目に入射される光を遮蔽する非透過状態に切替え可能な第２液晶パネルと、前記信号を受信可能な受信部と、前記信号を基に、前記第１液晶パネル及び第２液晶パネルを駆動し、立体画像を表示させる駆動部と、を有した液晶シャッタと、を備え、
前記駆動部は、
前記液晶表示装置における左目用の画像の書込み終了タイミングから第１特定時間遅延して前記第１液晶パネルを前記透過状態から前記非透過状態に切替え、
前記液晶表示装置における右目用の画像の書込み終了タイミングから第２特定時間遅延して前記第２液晶パネルを前記透過状態から前記非透過状態に切替えることを特徴とする画像表示システム。
【請求項２】
前記第１特定時間は、最大で、前記左目用の画像の書込み終了タイミングから、前記表示画像への前記左目用の画像の混在率が最小となるまでの期間であり、
前記第２特定時間は、最大で、前記右目用の画像の書込み終了タイミングから、前記表示画像への前記右目用の画像の混在率が最小となるまでの期間であることを特徴とする請求項１に記載の画像表示システム。
【請求項３】
前記駆動部は、
前記液晶表示装置における左目用の画像の書込み終了タイミングと同時に又は前記書込み終了タイミングから第３特定時間遅延して前記第２液晶パネルを前記非透過状態から前記透過状態に切替え、
前記液晶表示装置における右目用の画像の書込み終了タイミングと同時に又は前記書込み終了タイミングから第４特定時間遅延して前記第１液晶パネルを前記非透過状態から前記透過状態に切替えることを特徴とする請求項１に記載の画像表示システム。
【請求項４】
前記第３特定時間は、最大で、前記左目用の画像の書込み終了タイミングから、前記表示画像への前記右目用の画像の混在率が最大となるまでの期間であり、
前記第４特定時間は、最大で、前記右目用の画像の書込み終了タイミングから、前記表示画像への前記左目用の画像の混在率が最大となるまでの期間であることを特徴とする請求項３に記載の画像表示システム。
【請求項５】
前記液晶表示装置は、液晶表示パネルと、前記液晶表示パネルに対向配置された導光体、前記液晶表示パネルの最初の走査行側における前記導光体の一側縁に対向配置された第１光源及び前記液晶表示パネルの最終の走査行側における前記導光体の他の一側縁に対向配置された第２光源を含んだバックライトユニットと、前記第１光源及び第２光源を点灯状態に設定し、前記第１光源及び第２光源を一定期間、消灯状態に切替え可能な制御部と、をさらに有し、
前記制御部は、
前記左目用の画像及び右目用の画像の書込み終了タイミングから、又は前記第１液晶パネル及び第２液晶パネルが前記非透過状態から前記透過状態に切替わるタイミングから第１一定期間、前記第１光源を消灯状態に切替え、
前記第１液晶パネル及び第２液晶パネルが前記透過状態から前記非透過状態に切替わるタイミングから第２一定期間、前記第２光源を消灯状態に切替えることを特徴とする請求項１に記載の画像表示システム。
【発明の詳細な説明】
【技術分野】
【０００１】
本発明の実施形態は、画像表示システムに関する。
【背景技術】
【０００２】
近年、立体画像を表示するための技術が種々提案されている。上記技術として、例えばアクティブシャッタ方式の液晶シャッタと、時分割方式の液晶表示装置等の表示装置とを用いた立体画像（３Ｄ）表示技術が知られている。
【０００３】
液晶表示装置は、フレーム毎に、左目用の画像と右目用の画像とを交互に表示する。液晶シャッタは、液晶表示装置の画像表示に連動し、左目用の液晶パネル及び右目用の液晶パネルを透過状態（オン）及び非透過状態（オフ）に切替える。液晶シャッタは、高速応答の液晶パネルを使用することにより高速でオン／オフに切替え可能である。
【０００４】
左目用の画像の走査期間、液晶表示装置から出射される光は、左目用の液晶パネルは透過し、右目用の液晶パネルは遮蔽する。同様に、液晶表示装置が右目用の画像を表示している間、液晶表示装置から出射される光は、左目用の液晶パネルは遮蔽し、右目用の液晶パネルは透過する。これにより、液晶シャッタを装着したユーザは、左目用の画像と、右目用の画像とを左右の目で交互に見ることとなり、液晶表示装置に表示される平面画像を立体画像のように見ることができる。
【０００５】
液晶表示装置は、画面の上部から１行毎に順に走査して画像を更新し、１フレーム期間、表示し続けることが一般的である。この場合、前フレームの画像を表示しつつ、画面上部から次フレームの画像を表示し始めるため、あるタイミングでは画面の上部と下部で別の画像を表示することになる。
【０００６】
ただし、通常表示、すなわち平面画像（２Ｄ）表示の場合には、フレーム前後の表示内容は同一ないし連続性をもった画像であるため、前後のフレームで表示している画像が、あるタイミングで画像の上下に表示されていても、視認上、問題は発生しない。
【０００７】
ところが、３Ｄ表示の場合には、フレーム毎に左目用の画像と右目用の画像、すなわち視差のついた視点の異なる画像を切り替えているため、上述した前後のフレーム画像の同時表示は、両画像の混在による表示品位の低下という問題を発生させることになる。
【０００８】
そこで、左目用の画像と右目用の画像の間に黒画像を挿入（黒挿入）し、左目用の画像と右目用の画像の分離を図る提案がされている。これにより、同一タイミングで左目用の画像の走査と右目用の画像の走査が起こらないようにすることができる。
【０００９】
また、この場合、通常駆動の４倍相当で駆動することによって、同一タイミングで左目用の画像の走査と右目用の画像の走査が起こらないようにする対応がなされている。このため、解像度の低下無しに立体画像の表示が可能となる。
【先行技術文献】
【特許文献】
【００１０】
【特許文献１】特開２０１０−２７６９２８号公報
【発明の概要】
【発明が解決しようとする課題】
【００１１】
ところで、上記液晶シャッタは、液晶表示装置での左目用の画像の書込み終了タイミングと同時に左目用の液晶パネルをオフ、右目用の液晶パネルをオンにそれぞれ切替え、同様に、液晶表示装置での右目用の画像の書込み終了タイミングと同時に右目用の液晶パネルをオフ、左目用の液晶パネルをオンにそれぞれ切替える。
【００１２】
このため、液晶シャッタを装着したユーザが液晶表示装置の表示画像をみた場合、画面に輝度傾斜が発生し、最終の走査行の画像の輝度レベルが、最初の走査行の画像の輝度レベルに比べて低下してしまう。  
この発明は以上の点に鑑みなされたもので、その目的は、表示品位に優れた画像表示システムを提供することにある。
【課題を解決するための手段】
【００１３】
一実施形態に係る画像表示システムは、
表示画像に対応付けられた信号を送信する送信部を有し、左目用の画像と右目用の画像とを交互に表示する液晶表示装置と、
一対の電極基板及び前記電極基板間に挟持された液晶層を含み、左目の視界を覆い、左目に入射される光を透過する透過状態及び左目に入射される光を遮蔽する非透過状態に切替え可能な第１液晶パネルと、一対の電極基板及び前記電極基板間に挟持された液晶層を含み、右目の視界を覆い、右目に入射される光を透過する透過状態及び右目に入射される光を遮蔽する非透過状態に切替え可能な第２液晶パネルと、前記信号を受信可能な受信部と、前記信号を基に、前記第１液晶パネル及び第２液晶パネルを駆動し、立体画像を表示させる駆動部と、を有した液晶シャッタと、を備え、
前記駆動部は、
前記液晶表示装置における左目用の画像の書込み終了タイミングから第１特定時間遅延して前記第１液晶パネルを前記透過状態から前記非透過状態に切替え、
前記液晶表示装置における右目用の画像の書込み終了タイミングから第２特定時間遅延して前記第２液晶パネルを前記透過状態から前記非透過状態に切替えることを特徴としている。
【図面の簡単な説明】
【００１４】
【図１】図１は、一実施形態に係る画像表示システムを示す概略構成図である。
【図２】図２は、図１に示した液晶シャッタを示す概略構成図である。
【図３】図３は、図１及び図２に示した第１液晶パネルを示す断面図である。
【図４】図４は、上記第１液晶パネルの断面図であり、第１液晶パネルが透過状態となる場合の液晶分子の配向状態を示す図である。
【図５】図５は、上記第１液晶パネルの断面図であり、第１液晶パネルが非透過状態となる場合の液晶分子の配向状態を示す図である。
【図６】図６は、図１に示した液晶表示装置を概略的に示す断面図である。
【図７】図７は、図６に示したアレイ基板の一部を示す概略構成図である。
【図８】図８は、上記液晶表示装置の液晶表示パネルに対する第１光源及び第２光源の位置関係を説明するための概略平面図である。
【図９】図９は、上記画像表示システムの実施例１の、最初の走査行に対応した液晶表示装置の透過率、最終の走査行に対応した液晶表示装置の透過率、右目用の画像の制御信号、左目用の画像の制御信号、第１液晶パネルの透過率、第２液晶パネルの透過率、第１光源の制御信号、第２光源の制御信号、を示すタイミングチャートであり、液晶表示装置における画像の書込みタイミングを併せて示す図である。
【図１０】図１０は、上記実施例１の、第１液晶パネル及び第２液晶パネルの透過レベル、第１液晶パネルを透過する最終の走査行に対応した液晶表示装置の表示する左目用の画像の輝度レベル、第２液晶パネルを透過する最初の走査行に対応した液晶表示装置の表示する右目用の画像の輝度レベル、第１液晶パネルを透過する最初の走査行に対応した液晶表示装置の表示する右目用の画像の輝度レベル、第２液晶パネルを透過する最後の走査行に対応した液晶表示装置の表示する左目用の画像の輝度レベル、を説明するための図である。
【図１１】図１１は、上記画像表示システムの実施例２の、最初の走査行に対応した液晶表示装置の透過率、最終の走査行に対応した液晶表示装置の透過率、右目用の画像の制御信号、左目用の画像の制御信号、第１液晶パネルの透過率、第２液晶パネルの透過率、第１光源の制御信号、第２光源の制御信号、を示すタイミングチャートであり、液晶表示装置における画像の書込みタイミングを併せて示す図である。
【図１２】図１２は、上記実施例２の、第１液晶パネル及び第２液晶パネルの透過レベル、第１液晶パネルを透過する最終の走査行に対応した液晶表示装置の表示する左目用の画像の輝度レベル、第１液晶パネルを透過する最初の走査行に対応した液晶表示装置の表示する右目用の画像の輝度レベル、を説明するための図である。
【図１３】図１３は、上記実施例２の、第２液晶パネルを透過する最初の走査行に対応した液晶表示装置の表示する右目用の画像の輝度レベル、第２液晶パネルを透過する最後の走査行に対応した液晶表示装置の表示する左目用の画像の輝度レベル、を説明するための図である。
【図１４】図１４は、上記画像表示システムの実施例３の、最初の走査行に対応した液晶表示装置の透過率、最終の走査行に対応した液晶表示装置の透過率、右目用の画像の制御信号、左目用の画像の制御信号、第１液晶パネルの透過率、第２液晶パネルの透過率、第１光源の制御信号、第２光源の制御信号、を示すタイミングチャートであり、液晶表示装置における画像の書込みタイミングを併せて示す図である。
【図１５】図１５は、上記実施例３の、第１液晶パネル及び第２液晶パネルの透過レベル、第１液晶パネルを透過する最終の走査行に対応した液晶表示装置の表示する左目用の画像の輝度レベル、第１液晶パネルを透過する最初の走査行に対応した液晶表示装置の表示する右目用の画像の輝度レベル、を説明するための図である。
【図１６】図１６は、上記実施例３の、第２液晶パネルを透過する最初の走査行に対応した液晶表示装置の表示する右目用の画像の輝度レベル、第２液晶パネルを透過する最後の走査行に対応した液晶表示装置の表示する左目用の画像の輝度レベル、を説明するための図である。
【図１７】図１７は、上記一実施形態における、時間に対する各走査行に対応した液晶表示装置の透過率の変化をグラフで示した図である。
【図１８】図１８は、上記一実施形態における、時間に対する第１及び第２液晶パネルの透過率の変化をグラフで示した図である。
【図１９】図１９は、上記画像表示システムの比較例の、最初の走査行に対応した液晶表示装置の透過率、最終の走査行に対応した液晶表示装置の透過率、右目用の画像の制御信号、左目用の画像の制御信号、第１液晶パネルの透過率、第２液晶パネルの透過率、第１光源の制御信号、第２光源の制御信号、を示すタイミングチャートであり、液晶表示装置における画像の書込みタイミングを併せて示す図である。
【図２０】図２０は、上記比較例の、第１液晶パネル及び第２液晶パネルの透過レベル、第１液晶パネルを透過する最終の走査行に対応した液晶表示装置の表示する左目用の画像の輝度レベル、第１液晶パネルを透過する最初の走査行に対応した液晶表示装置の表示する右目用の画像の輝度レベル、を説明するための図である。
【図２１】図２１は、上記比較例の、第２液晶パネルを透過する最初の走査行に対応した液晶表示装置の表示する右目用の画像の輝度レベル、第２液晶パネルを透過する最後の走査行に対応した液晶表示装置の表示する左目用の画像の輝度レベル、を説明するための図である。
【発明を実施するための形態】
【００１５】
以下、図面を参照しながら一実施形態に係る画像表示システム及び液晶シャッタの駆動方法について詳細に説明する。始めに、画像表示システムの構成を説明する。  
図１に示すように、画像表示システムは、アクティブシャッタ方式の液晶シャッタ１と、液晶表示装置２と、を備えている。
【００１６】
図１乃至図３に示すように、液晶シャッタ１は、第１液晶パネル３Ｌと、第２液晶パネル３Ｒと、メガネフレーム４と、駆動部５と、電源部６と、受信部７と、筐体８と、を備えている。この実施の形態において、液晶シャッタ１は、メガネ装着型の液晶シャッタである。
【００１７】
第１液晶パネル３Ｌは、一対の電極基板１０、２０と、電極基板間に挟持された液晶層３０と、を有している。  
電極基板１０は、透明な絶縁基板としてのガラス基板１１と、このガラス基板１１上に形成された第１電極１２と、ガラス基板１１及び第１電極１２上に形成された配向膜１３とを有している。絶縁基板としてはガラス基板の他に、プラスチック基板や樹脂フィルムなども適用することができる。電極基板１０上には、光学補償フィルム１４及び偏光板１５が配置されている。光学補償フィルム１４及び偏光板１５は、ガラス基板１１に対して第１電極１２の反対側に位置し、ガラス基板１１の外面上に順に配置されている。
【００１８】
電極基板２０は、透明な絶縁基板としてのガラス基板２１と、このガラス基板２１上に形成された第２電極２２と、ガラス基板２１及び第２電極２２上に形成された配向膜２３とを有している。同様に、絶縁基板としてはガラス基板の他に、プラスチック基板や樹脂フィルムなども適用することができる。電極基板２０上には、光学補償フィルム２４及び偏光板２５が配置されている。光学補償フィルム２４及び偏光板２５は、ガラス基板２１に対して第２電極２２の反対側に位置し、ガラス基板２１の外面上に順に配置されている。
【００１９】
第１電極１２及び第２電極２２は、透明な導電材料として、例えばＩＴＯ（インジウム・ティン・オキサイド）で形成されている。配向膜１３及び配向膜２３は、同一方向に配向処理（ラビング）が施されている。偏光板１５及び偏光板２５は、配向方向に対して略４５°で交差するようにクロスニコル配置されている。
【００２０】
電極基板１０及び電極基板２０は、複数のスペーサとしての複数の球状スペーサ３１により、所定の隙間を保持して対向配置され、両基板の周縁部に配置されたシール材３２により互いに接合されている。球状スペーサ３１に替えて柱状スペーサを一方の基板上に一体的に形成することもできる。液晶層３０は、電極基板１０、電極基板２０及びシール材３２で囲まれた領域に充填されたネマティック液晶で形成されている。
【００２１】
上記のように、第１液晶パネル３Ｌは、πセルに光学補償フィルム１４、２４を組合せたＯＣＢ（optically compensated bend）モードの液晶パネルである。ここで、第１液晶パネル３Ｌは、電圧を印加しない状態で光透過状態となるノーマリーホワイト型である。第１液晶パネル３Ｌは、左目の視界を覆い、左目に入射される光の透過率を制御可能である。
【００２２】
第１電極１２にパルス状の駆動電圧Ｖｄが印加され、第２電極２２に電圧Ｖｃｏｍが印加されることにより、液晶層３０にパルス状の駆動電圧が印加される。図２、図４及び図５に示すように、第１電極１２に２０Ｖ程度の初期電圧Ｖａが印加され、第２電極２２に電圧Ｖｃｏｍが印加されることにより、液晶層３０に駆動電圧が印加され、液晶分子３０ｍがスプレイ（splay）配向からベンド（bend）配向に転移する（初期転移）。そして、液晶層３０に所望の駆動電圧が印加されることにより、液晶分子３０ｍのベンド配向を維持しつつ第１液晶パネル３Ｌを透過状態及び非透過状態に切替えることができる。第１液晶パネル３Ｌは、ベンド配向とフロー効果により高速応答性に優れている。
【００２３】
図１乃至図３に示すように、第２液晶パネル３Ｒは、上記第１液晶パネル３Ｌと同様に形成されている。第２液晶パネル３Ｒは、一対の電極基板１０、２０及びこれら電極基板間に挟持された液晶層３０を有し、右目の視界を覆い、右目に入射される光の透過率を制御可能なＯＣＢモードの液晶パネルである。ここで、第２液晶パネル３Ｒは、電圧を印加しない状態で光透過状態となるノーマリーホワイト型である。
【００２４】
なお、第１液晶パネル３Ｌ及び第２液晶パネル３Ｒにおいて、図示しないが、これらの形状やこれらに形成される端子の位置は互いに異なっていてもよく、これにより、例えば、第１液晶パネル３Ｌ及び第２液晶パネル３Ｒが左目用及び右目用の何れであるのか識別することができる。  
図１に示すように、第１液晶パネル３Ｌ及び第２液晶パネル３Ｒは、メガネフレーム４に取付けられている。
【００２５】
電源部６及び受信部７は、駆動部５に接続されている。電源部６は、駆動部５に電力を供給するものである。電源部６は、初期電圧Ｖａ、駆動電圧Ｖｄ、電圧Ｖｃｏｍを出力可能である。受信部７は、有線又は無線通信により信号（データ）を受信可能である。筐体８は、駆動部５、電源部６及び受信部７を収容し、メガネフレーム４に取付けられている。
【００２６】
駆動部５は、初期電圧Ｖａを第１液晶パネル３Ｌ及び第２液晶パネル３Ｒのそれぞれに印加して初期転移させた後、受信部７で受信した信号を基に、第１液晶パネル３Ｌ及び第２液晶パネル３Ｒに駆動電圧Ｖｄを印加し、第１液晶パネル３Ｌ及び第２液晶パネル３Ｒを駆動し、立体画像を表示させるものである。
【００２７】
図２に示すように、詳しくは、駆動部５は、フレキシブル配線基板（ＦＰＣ）等を介して第１液晶パネル３Ｌ及び第２液晶パネル３Ｒそれぞれの第１電極１２及び第２電極２２に電気的に接続されている。駆動部５は、第１液晶パネル３Ｌ及び第２液晶パネル３Ｒそれぞれにパルス状の駆動電圧Ｖｄ及び電圧Ｖｃｏｍを印加し、第１液晶パネル３Ｌ（液晶層３０）及び第２液晶パネル３Ｒ（液晶層３０）を駆動することにより、それぞれ第１液晶パネル３Ｌ及び第２液晶パネル３Ｒを液晶分子３０ｍがベンド配向を採った状態で透過状態及び非透過状態に交互に切替えることができる。  
上記のように液晶シャッタ１が形成されている。
【００２８】
図１及び図６に示すように、液晶表示装置２は、液晶表示パネル５０、バックライトユニット９０、制御部１００、及び送信部１１０を備えている。液晶表示パネル５０は、アレイ基板６０と、アレイ基板６０に対向配置された対向基板７０と、アレイ基板６０及び対向基板７０間に挟持された液晶層８０とを備えている。
【００２９】
図６及び図７に示すように、アレイ基板６０は、透明な絶縁基板として矩形状のガラス基板６１を備えている。ガラス基板６１上には、複数の信号線６２と、複数の走査線６３とが形成されている。信号線６２及び走査線６３は、互いに直交して形成されている。また、ガラス基板６１上には、走査線６３に平行な複数の補助容量線６４が形成されている。この実施の形態において、隣合う２本の信号線６２及び隣合う２本の走査線６３で囲まれた各領域には画素ＰＸが形成されている。これらの画素ＰＸは、ガラス基板６１上にマトリクス状に配置されている。
【００３０】
次に、画素ＰＸを１つ取り出して詳述する。  
画素ＰＸは、信号線６２及び走査線６３の交差部近傍に形成されたスイッチング素子としてのＴＦＴ（薄膜トランジスタ）６５と、ＴＦＴ６５に接続された画素電極６６と、画素電極６６に接続された補助容量素子６７と、を有している。補助容量線６４は、補助容量素子６７の一方の電極を形成している。
【００３１】
図示しないが、ガラス基板６１上に、赤色、緑色及び青色の複数の着色層を有したカラーフィルタが形成されている。なお、上記画素電極６６はＩＴＯ等の透明な導電材料でカラーフィルタ上に形成されている。また、カラーフィルタ上には、スペーサとして、例えば複数の柱状スペーサ６８が形成されている。上記のように、ガラス基板６１上にアレイパターン６０Ｐが形成されている。ガラス基板６１及びアレイパターン６０Ｐ上に配向膜６９が形成されている。
【００３２】
対向基板７０は、透明な絶縁基板として矩形状のガラス基板７１を備えている。ガラス基板７１上に、対向電極７２及び配向膜７３が順に形成されている。なお、配向膜６９及び配向膜７３には同一方向に配向処理（ラビング）が施されている。このように、対向基板７０が形成されている。
【００３３】
アレイ基板６０及び対向基板７０間の隙間は、複数の柱状スペーサ６８により保持されている。アレイ基板６０及び対向基板７０は、表示領域の外周に沿って配置されたシール材８１により接合されている。液晶層８０は、アレイ基板６０、対向基板７０及びシール材８１で囲まれた領域に充填されたネマティック液晶で形成されている。
【００３４】
アレイ基板６０の外面上に、光学補償フィルム５１及び偏光板５２が順に形成されている。対向基板７０の外面上に、光学補償フィルム５３及び偏光板５４が順に形成されている。偏光板５２及び偏光板５４は、配向方向に対して略４５°で交差するようにクロスニコル配置されている。上記のように、液晶表示パネル５０は、ＯＣＢモードの液晶パネルである。ここで、液晶表示パネル５０は、電圧を印加しない状態で光透過状態となるノーマリーホワイト型である。  
上記のことから、液晶表示装置２は、左目用の画像と右目用の画像とを交互に表示することができる。
【００３５】
図６及び図８に示すように、バックライトユニット９０は、アレイ基板６０の外面側に設けられている。バックライトユニット９０は、偏光板５２に対向配置された導光板を含む導光体９２と、導光体９２の一側縁に対向配置された、例えば冷陰極線管からなる第１光源９３及び反射板９４を有している。さらに、バックライトユニット９０は、導光体９２の他の一側縁に対向配置された、例えば冷陰極線管からなる第２光源９５及び反射板９６を有している。
【００３６】
第１光源９３は、液晶表示パネル５０の最初の走査行側における導光体９２の一側縁に対向配置されている。第２光源９５は、液晶表示パネル５０の最終の走査行側における導光体９２の他の一側縁に対向配置されている。
【００３７】
制御部１００は、液晶表示パネル５０及びバックライトユニット９０の駆動を制御する。制御部１００は、第１光源９３及び第２光源９５を点灯状態に設定し、第１光源９３及び第２光源９５を一定期間、消灯状態に切替え可能である。  
送信部１１０は、表示画像（交互に表示される左目用の画像と右目用の画像）に対応付けられた信号を送信する。
【００３８】
次に、この実施形態の実施例１乃至３、及び比較例の画像表示システム及び液晶シャッタ１の駆動方法について説明する。実施例１乃至３の液晶シャッタ１及び液晶シャッタ１の駆動方法に共通の点は、最終の走査行の画像の輝度レベルが、最初の走査行の画像の輝度レベルに比べて低下することを低減できる点である。
【００３９】
（実施例１）
まず、実施例１の画像表示システム及び液晶シャッタ１の駆動方法について説明する。  
図６及び図９に示すように、制御部１００は、立体画像を表示する場合、例えば１２０Ｈｚのフレーム周波数で左目用の画像と右目用の画像とを交互に表示するよう、左目用の画像の制御信号及び右目用の画像の制御信号を液晶表示パネル５０に与え、液晶表示パネル５０の駆動を制御する。
【００４０】
ここで、１フレーム（１Ｆ）とは、全ての画素ＰＸを順次走査し再び同一の画素ＰＸを走査するまでの時間である。また、同一タイミングで左目用の画像の走査と右目用の画像の走査が起こらないように、左目用の画像と右目用の画像の間に黒挿入を行っている。
【００４１】
駆動部５は、それぞれ第１液晶パネル３Ｌ及び第２液晶パネル３Ｒを透過状態（ＯＮ）に切替える際、前回、透過状態に切替えてから６０分の１秒後に切替えている。これにより、液晶シャッタ１を装着したユーザは、左目用の画像と、右目用の画像とを左右の目で交互にみることができ、実質６０Ｈｚの周波数で解像度の低下なく立体画像をみることができる。
【００４２】
図１、図２及び図９に示すように、駆動部５は、受信部７で受信した信号を基に、液晶表示装置２における左目用の画像の書込み終了タイミングから第１特定時間ＩＰ１遅延して第１液晶パネル３Ｌを透過状態から非透過状態に切替え、液晶表示装置２における右目用の画像の書込み終了タイミングから第２特定時間ＩＰ２遅延して第２液晶パネル３Ｒを透過状態から非透過状態に切替えている。
【００４３】
また、駆動部５は、受信部７で受信した信号を基に、液晶表示装置２における左目用の画像の書込み終了タイミングから第３特定時間ＩＰ３遅延して第２液晶パネル３Ｒを非透過状態から透過状態に切替え、液晶表示装置２における右目用の画像の書込み終了タイミングから第４特定時間ＩＰ４遅延して第１液晶パネル３Ｌを非透過状態から透過状態に切替えている。
【００４４】
図６、図８及び図９に示すように、制御部１００は、第１液晶パネル３Ｌ及び第２液晶パネル３Ｒが非透過状態から透過状態に切替わるタイミングから第１一定期間ＣＰ１、第１光源９３を消灯状態に切替え、第１液晶パネル３Ｌ及び第２液晶パネル３Ｒが透過状態から非透過状態に切替わるタイミングから第２一定期間ＣＰ２、第２光源９５を消灯状態に切替えている。
【００４５】
次に、各走査行に対応した液晶表示装置２の透過率（液晶応答）の特性について説明する。  
図１７に示すように、各走査行に対応した液晶表示装置２の透過率を示す波形を６つに時間分解する。そして、波形に対する各単位時間内の割合を抽出する。１つのマス目を０．５とすると、上記波形を、
０．２／０．７５／１．７５／２．４／１．７５／０．３
に時間分解することができる。
【００４６】
上記時間分解された数字の和をとると７．１５である。数字の和が７．１５となる場合に液晶表示装置２の表示する左目用又は右目用の画像の輝度レベルが最大となるため、７．１５を輝度レベル１００％と置換する。すると、上記時間分解された数字を、
２．７％／１０．５％／２４．５％／３３．６％／２４．５％／４．２％
の割合（輝度レベル比）にそれぞれ置換することができる。
【００４７】
次に、第１液晶パネル３Ｌ及び第２液晶パネル３Ｒの透過率（液晶応答）の特性について説明する。  
図１８に示すように、第１液晶パネル３Ｌ及び第２液晶パネル３Ｒの透過率を示す波形を時間分解する。そして、波形に対する各単位時間内の割合を抽出する。１つのマス目を０．５とすると、上記波形を、
０．７５／２．０／２．５／  …  ／２．５／０．６２５
に時間分解することができる。
【００４８】
数字が２．５となる場合に第１液晶パネル３Ｌ及び第２液晶パネル３Ｒの透過率が最大となるため、２．５を１００％と置換する。すると、上記各単位時間の透過率比を、
３０％／８０％／１００％／  …  ／１００％／２５％
と表すことができる。ここで、上記透過率比の和を透過レベル１００％とする。
【００４９】
次に、実施例１の次に挙げる（１）乃至（５）について説明する。  
（１）第１液晶パネル３Ｌ及び第２液晶パネル３Ｒの透過レベル。  
（２）第１液晶パネル３Ｌを透過する最終の走査行に対応した液晶表示装置２の表示する左目用の画像の輝度レベル（第２液晶パネル３Ｒを透過する最終の走査行に対応した液晶表示装置２の表示する右目用の画像の輝度レベル）。
【００５０】
（３）第２液晶パネル３Ｒを透過する最初の走査行に対応した液晶表示装置２の表示する右目用の画像の輝度レベル（第１液晶パネル３Ｌを透過する最初の走査行に対応した液晶表示装置２の表示する左目用の画像の輝度レベル）。
【００５１】
（４）第１液晶パネル３Ｌを透過する最終の走査行に対応した液晶表示装置２の表示する左目用の画像（の輝度レベル）に対する次フレームの最初の走査行に対応した液晶表示装置２の表示する右目用の画像（の輝度レベル）の混在率（第２液晶パネル３Ｒを透過する最終の走査行に対応した液晶表示装置２の表示する右目用の画像（の輝度レベル）に対する次フレームの最初の走査行に対応した液晶表示装置２の表示する左目用の画像（の輝度レベル）の混在率）。
【００５２】
（５）第２液晶パネル３Ｒを透過する最初の走査行に対応した液晶表示装置２の表示する右目用の画像（の輝度レベル）に対する前フレームの最後の走査行に対応した液晶表示装置２の表示する左目用の画像（の輝度レベル）の混在率（第１液晶パネル３Ｌを透過する最初の走査行に対応した液晶表示装置２の表示する左目用の画像（の輝度レベル）に対する前フレームの最後の走査行に対応した液晶表示装置２の表示する右目用の画像（の輝度レベル）の混在率）。
【００５３】
（１）図１０に示すように、第１液晶パネル３Ｌ及び第２液晶パネル３Ｒの透過レベルは、図１８を参照すると、それぞれ８５．４９％である。  
（２）第１液晶パネル３Ｌを透過する最終の走査行に対応した液晶表示装置２の表示する左目用の画像の輝度レベルを、図１７を参照して計算すると、
２．７％＋１０．５％＋２４．５％＋３３．６％＋２４．５％＋４．２％×０＝９５．８％
である。なお、４．２％に０を掛けたのは第１光源９３及び第２光源９５がともに消灯状態の為である。
【００５４】
（３）第２液晶パネル３Ｒを透過する最初の走査行に対応した液晶表示装置２の表示する右目用の画像の輝度レベルを、図１７を参照して計算すると、
２．７％×０＋１０．５％×０＋２４．５％×０．８＋３３．６％＋２４．５％＋４．２％×０＝８１．９％
である。なお、２．７％に０を掛けたのは第２液晶パネル３Ｒが非透過状態の為であり、１０．５％に０を掛けたのは第１光源９３及び第２光源９５がともに消灯状態の為であり、２４．５％に０．８を掛けたのは第２液晶パネル３Ｒの各単位時間の透過率比が８０％の為である。
【００５５】
（４）第１液晶パネル３Ｌを透過する最初の走査行に対応した液晶表示装置２の表示する右目用の画像の輝度レベルを、図１７を参照して計算すると、
２．７％＋１０．５％×０＝２．７％
である。なお、１０．５％に０を掛けたのは第１光源９３及び第２光源９５がともに消灯状態の為である。
【００５６】
これにより、第１液晶パネル３Ｌを透過する最終の走査行に対応した液晶表示装置２の表示する左目用の画像（の輝度レベル）に対する次フレームの最初の走査行に対応した液晶表示装置２の表示する右目用の画像（の輝度レベル）の混在率を計算すると、
２．７％／９５．８％＝２．８％
である。
【００５７】
（５）第２液晶パネル３Ｒを透過する最後の走査行に対応した液晶表示装置２の表示する左目用の画像の輝度レベルを、図１７を参照して計算すると、
４．２％×０＝０％
である。なお、４．２％に０を掛けたのは第１光源９３及び第２光源９５がともに消灯状態の為である。
【００５８】
これにより、第２液晶パネル３Ｒを透過する最初の走査行に対応した液晶表示装置２の表示する右目用の画像（の輝度レベル）に対する前フレームの最後の走査行に対応した液晶表示装置２の表示する左目用の画像（の輝度レベル）の混在率を計算すると、
０％／８１．９％＝０％
である。
【００５９】
以上、説明に使用した上記の例は、本実施例の効果を説明するために、液晶シャッタ１（第１液晶パネル３Ｌ、第２液晶パネル３Ｒ）の単位時間ごとの透過率の平均値と液晶表示装置２の透過率すなわち輝度を用いて、簡易的に説明したものである。また、ここで使用した液晶応答波形は、一般的な波形の例であって、これに限定するものでは無い。単位時間あたりの透過率も概略値であり、対応する波形の透過率を正確に反映するものでは無いが、効果の説明のためには問題無い。なお、詳細な設計のためには、それぞれの波形をもとに、さらに単位時間を細かくした計算をすることも有効である。  
さらに、以下に記載の実施例でも、同様の考え方にたって説明しており、記載の数値に限定されるものではない。
【００６０】
（実施例２）
次に、実施例２の画像表示システム及び液晶シャッタ１の駆動方法について説明する。
【００６１】
図６、図８及び図１１に示すように、制御部１００は、左目用の画像及び右目用の画像の書込み終了タイミングから第１一定期間ＣＰ１、第１光源９３を消灯状態に切替え、第１液晶パネル３Ｌ及び第２液晶パネル３Ｒが透過状態から非透過状態に切替わるタイミングから第２一定期間ＣＰ２、第２光源９５を消灯状態に切替えている。その他、実施例２の画像表示システム及び液晶シャッタ１の駆動方法は、上述した実施例１と同様である。
【００６２】
次に、実施例２の上記（１）乃至（５）について説明する。  
（１）図１２に示すように、第１液晶パネル３Ｌ及び第２液晶パネル３Ｒの透過レベルは、図１８を参照すると、それぞれ９５．６３％である。これは、第１光源９３及び第２光源９５が消灯状態となる期間（第１一定期間ＣＰ１、第２一定期間ＣＰ２）が存在するためである。
【００６３】
（２）第１液晶パネル３Ｌを透過する最終の走査行に対応した液晶表示装置２の表示する左目用の画像の輝度レベルを、図１７を参照して計算すると、
２．７％＋１０．５％＋２４．５％＋３３．６％＋２４．５％×０．６６＋４．２％×０．２５×０．３３＝８７．８２％
である。なお、２４．５％に０．６６を掛けたのは第１光源９３が消灯状態の為であり、４．２％に０．２５を掛けたのは第１液晶パネル３Ｌの各単位時間の透過率比が２５％の為であり、４．２％に０．３３を掛けたのは第２光源９５が消灯状態の為である。
【００６４】
（３）図１３に示すように、第２液晶パネル３Ｒを透過する最初の走査行に対応した液晶表示装置２の表示する右目用の画像の輝度レベルを、図１７を参照して計算すると、
２．７％×０＋１０．５％×０．３×０．６６＋２４．５％×０．８＋３３．６％＋２４．５％＋４．２％＝８３．９７９％
である。なお、２．７％に０を掛けたのは第２液晶パネル３Ｒが非透過状態の為であり、１０．５％に０．３を掛けたのは第２液晶パネル３Ｒの各単位時間の透過率比が３０％の為であり、１０．５％に０．６６を掛けたのは第２光源９５が消灯状態の為であり、２４．５％に０．８を掛けたのは第２液晶パネル３Ｒの各単位時間の透過率比が８０％の為である。
【００６５】
（４）図１２に示すように、第１液晶パネル３Ｌを透過する最初の走査行に対応した液晶表示装置２の表示する右目用の画像の輝度レベルを、図１７を参照して計算すると、
２．７％×０．３３＋１０．５％×０．２５×０．６６＝２．６２３５％
である。なお、２．７％に０．３３を掛けたのは第１光源９３が消灯状態の為であり、１０．５％に０．２５を掛けたのは第１液晶パネル３Ｌの各単位時間の透過率比が２５％の為であり、１０．５％に０．６６を掛けたのは第２光源９５が消灯状態の為である。
【００６６】
これにより、第１液晶パネル３Ｌを透過する最終の走査行に対応した液晶表示装置２の表示する左目用の画像（の輝度レベル）に対する次フレームの最初の走査行に対応した液晶表示装置２の表示する右目用の画像（の輝度レベル）の混在率を計算すると、
２．６２３５％／８７．８２％＝２．９９％
である。
【００６７】
（５）図１３に示すように、第２液晶パネル３Ｒを透過する最後の走査行に対応した液晶表示装置２の表示する左目用の画像の輝度レベルを、図１７を参照して計算すると、
４．２％×０．３×０．３３＝０．４％
である。なお、４．２％に０．３を掛けたのは第２液晶パネル３Ｒの各単位時間の透過率比が３０％の為であり、４．２％に０．３３を掛けたのは第２光源９５が消灯状態の為である。
【００６８】
これにより、第２液晶パネル３Ｒを透過する最初の走査行に対応した液晶表示装置２の表示する右目用の画像（の輝度レベル）に対する前フレームの最後の走査行に対応した液晶表示装置２の表示する左目用の画像（の輝度レベル）の混在率を計算すると、
０．４％／８１．９％＝０．５％
である。
【００６９】
（実施例３）
次に、実施例３の画像表示システム及び液晶シャッタ１の駆動方法について説明する。
【００７０】
図６、図８及び図１４に示すように、駆動部５は、液晶表示装置２における左目用の画像の書込み終了タイミングと同時に第２液晶パネル３Ｒを非透過状態から透過状態に切替え、液晶表示装置２における右目用の画像の書込み終了タイミングと同時に第１液晶パネル３Ｌを非透過状態から透過状態に切替えている。その他、実施例３の画像表示システム及び液晶シャッタ１の駆動方法は、上述した実施例２と同様である。
【００７１】
次に、実施例３の上記（１）乃至（５）について説明する。  
（１）図１５に示すように、第１液晶パネル３Ｌ及び第２液晶パネル３Ｒの透過レベルは、図１８を参照すると、それぞれ９４．８３％である。これは、第１光源９３及び第２光源９５が消灯状態となる期間（第１一定期間ＣＰ１、第２一定期間ＣＰ２）が存在するためである。
【００７２】
（２）第１液晶パネル３Ｌを透過する最終の走査行に対応した液晶表示装置２の表示する左目用の画像の輝度レベルを、図１７を参照して計算すると、
２．７％＋１０．５％＋２４．５％＋３３．６％＋２４．５％×０．６６＋４．２％×０．２５×０．３３＝８７．８２％
である。なお、２４．５％に０．６６を掛けたのは第１光源９３が消灯状態の為であり、４．２％に０．２５を掛けたのは第１液晶パネル３Ｌの各単位時間の透過率比が２５％の為であり、４．２％に０．３３を掛けたのは第２光源９５が消灯状態の為である。
【００７３】
（３）図１６に示すように、第２液晶パネル３Ｒを透過する最初の走査行に対応した液晶表示装置２の表示する右目用の画像の輝度レベルを、図１７を参照して計算すると、
２．７％×０．３×０．６６＋１０．５％×０．８×０．６６＋２４．５％＋３３．６％＋２４．５％＋４．２％＝９２．６１％
である。なお、２．７％に０．３を掛けたのは第２液晶パネル３Ｒが非透過状態の為であり、２．７％に０．６６を掛けたのは第１光源９３が消灯状態の為であり、１０．５％に０．８を掛けたのは第２液晶パネル３Ｒの各単位時間の透過率比が８０％の為であり、１０．５％に０．６６を掛けたのは第２光源９５が消灯状態の為である。
【００７４】
（４）図１５に示すように、第１液晶パネル３Ｌを透過する最初の走査行に対応した液晶表示装置２の表示する右目用の画像の輝度レベルを、図１７を参照して計算すると、
２．７％×０．３３＋１０．５％×０．２５×０．６６＝２．６２％
である。なお、２．７％に０．３３を掛けたのは第１光源９３が消灯状態の為であり、１０．５％に０．２５を掛けたのは第１液晶パネル３Ｌの各単位時間の透過率比が２５％の為であり、１０．５％に０．６６を掛けたのは第２光源９５が消灯状態の為である。
【００７５】
これにより、第１液晶パネル３Ｌを透過する最終の走査行に対応した液晶表示装置２の表示する左目用の画像（の輝度レベル）に対する次フレームの最初の走査行に対応した液晶表示装置２の表示する右目用の画像（の輝度レベル）の混在率を計算すると、
２．６２％／８７．８２％＝２．９８％
である。
【００７６】
（５）図１６に示すように、第２液晶パネル３Ｒを透過する最後の走査行に対応した液晶表示装置２の表示する左目用の画像の輝度レベルを、図１７を参照して計算すると、
２４．５％×０．３×０．６６＋４．２％×０．８×０．３３＝５．９６％
である。なお、２４．５％に０．３を掛けたのは第２液晶パネル３Ｒの各単位時間の透過率比が３０％の為であり、２４．５％に０．６６を掛けたのは第１光源９３が消灯状態の為であり、４．２％に０．８を掛けたのは第２液晶パネル３Ｒの各単位時間の透過率比が８０％の為であり、４．２％に０．３３を掛けたのは第２光源９５が消灯状態の為である。
【００７７】
これにより、第２液晶パネル３Ｒを透過する最初の走査行に対応した液晶表示装置２の表示する右目用の画像（の輝度レベル）に対する前フレームの最後の走査行に対応した液晶表示装置２の表示する左目用の画像（の輝度レベル）の混在率を計算すると、
５．９６％／９２．６１％＝６．４４％
である。
【００７８】
（比較例）
次に、比較例の画像表示システム及び液晶シャッタ１の駆動方法について説明する。  
図６、図８及び図１９に示すように、駆動部５は、液晶表示装置２における左目用の画像の書込み終了タイミングと同時に第１液晶パネル３Ｌを透過状態から非透過状態に切替え、液晶表示装置２における右目用の画像の書込み終了タイミングと同時に第２液晶パネル３Ｒを透過状態から非透過状態に切替えている。
【００７９】
さらに、駆動部５は、液晶表示装置２における左目用の画像の書込み終了タイミングと同時に第２液晶パネル３Ｒを非透過状態から透過状態に切替え、液晶表示装置２における右目用の画像の書込み終了タイミングと同時に第１液晶パネル３Ｌを非透過状態から透過状態に切替えている。
【００８０】
また、液晶表示装置２は、１つ又は複数の光源を有している。
【００８１】
制御部１００は、光源を点灯状態に設定し、左目用の画像及び右目用の画像の書込み終了タイミング（第１液晶パネル３Ｌ及び第２液晶パネル３Ｒが非透過状態と透過状態の間で切替わるタイミング）から一定期間ＣＰ、光源を消灯状態に切替えている。その他、比較例の画像表示システム及び液晶シャッタ１の駆動方法は、上述した実施例１と同様である。
【００８２】
次に、比較例の上記（１）乃至（５）について説明する。  
（１）図２０に示すように、第１液晶パネル３Ｌ及び第２液晶パネル３Ｒの透過レベルは、図１８を参照すると、それぞれ７４．８９％である。これは、光源が消灯状態となる期間（一定期間ＣＰ）が存在するためである。
【００８３】
（２）第１液晶パネル３Ｌを透過する最終の走査行に対応した液晶表示装置２の表示する左目用の画像の輝度レベルを、図１７を参照して計算すると、
２．７％＋１０．５％＋２４．５％＋３３．６％＋２４．５％×０＋４．２％×０＝７１．３％
である。なお、２４．５％に０を掛けたのは光源が消灯状態の為であり、４．２％に０を掛けたのは第１液晶パネル３Ｌの各単位時間の透過率比が０％の為である。
【００８４】
（３）図２１に示すように、第２液晶パネル３Ｒを透過する最初の走査行に対応した液晶表示装置２の表示する右目用の画像の輝度レベルを、図１７を参照して計算すると、
２．７％×０＋１０．５％×０．８＋２４．５％＋３３．６％＋２４．５％＋４．２％＝９５．２％
である。なお、２．７％に０を掛けたのは光源が消灯状態の為であり、１０．５％に０．８を掛けたのは第２液晶パネル３Ｒの各単位時間の透過率比が８０％の為である。
【００８５】
（４）図２０に示すように、第１液晶パネル３Ｌを透過する最初の走査行に対応した液晶表示装置２の表示する右目用の画像の輝度レベルを、図１７を参照して計算すると、
２．７％×０＝０％
である。なお、２．７％に０を掛けたのは光源が消灯状態の為である。
【００８６】
これにより、第１液晶パネル３Ｌを透過する最終の走査行に対応した液晶表示装置２の表示する左目用の画像（の輝度レベル）に対する次フレームの最初の走査行に対応した液晶表示装置２の表示する右目用の画像（の輝度レベル）の混在率を計算すると、
０％／７１．３％＝０％
である。
【００８７】
（５）図２１に示すように、第２液晶パネル３Ｒを透過する最後の走査行に対応した液晶表示装置２の表示する左目用の画像の輝度レベルを、図１７を参照して計算すると、
２４．５％×０＋４．２％×０．８＝３．３６％
である。なお、２４．５％に０を掛けたのは光源が消灯状態の為であり、４．２％に０．８を掛けたのは第２液晶パネル３Ｒの各単位時間の透過率比が８０％の為である。
【００８８】
これにより、第２液晶パネル３Ｒを透過する最初の走査行に対応した液晶表示装置２の表示する右目用の画像（の輝度レベル）に対する前フレームの最後の走査行に対応した液晶表示装置２の表示する左目用の画像（の輝度レベル）の混在率を計算すると、
３．３６％／９５．２％＝３．５％
である。
【００８９】
以上のように構成された一実施形態に係る画像表示システム及び液晶シャッタの駆動方法によれば、液晶表示装置２の想定する液晶の応答は、立上り４ｍｓ、立下り２ｍｓであり、液晶シャッタ１の想定する液晶の応答は、立上り２ｍｓ、立下り１ｍｓ以下である。
【００９０】
上記比較例の画像表示システムにおいて、液晶シャッタ１を装着したユーザが液晶表示装置２の表示画像をみた場合、画面に輝度傾斜が発生し、最終の走査行の画像の輝度レベル（透過率７１．３％）が、最初の走査行の画像の輝度レベル（透過率９５．２％）に比べて低下してしまう。
【００９１】
これに対し、実施例１乃至３の画像表示システムにおいて、駆動部５は、液晶表示装置２における左目用の画像の書込み終了タイミングから第１特定時間ＩＰ１遅延して第１液晶パネル３Ｌを透過状態から非透過状態に切替え、液晶表示装置２における右目用の画像の書込み終了タイミングから第２特定時間ＩＰ２遅延して第２液晶パネル３Ｒを透過状態から非透過状態に切替えている。立ち下げ応答時間分の表示を観察できるため、特に最終行近辺での輝度レベルの差異を少なくすることができる。
【００９２】
上記実施例３において、左目用の画像の書込み終了タイミングから右目用の画像の書込みを開始するが、この時、制御部１００が第１光源９３（最初の走査行側の光源）を消灯状態に切替えることにより、書込み開始する右目用の画像を左目で観察しにくくすることができる。
【００９３】
さらに、第２液晶パネル３Ｒは、透過状態から非透過状態に切替えた直後では立上り途中であるため、左目用の画像を右目では観察しにくい。第２液晶パネル３Ｒの立上りの後半部分では、第２光源９５（最終の走査行側の光源）を消灯状態に切替えることで、左目用画像を右目で観察しにくくすることができる。
【００９４】
さらにまた、実施例２では、駆動部５は、液晶表示装置２における左目用の画像の書込み終了タイミングから第３特定時間ＩＰ３遅延して第２液晶パネル３Ｒを非透過状態から透過状態に切替え、液晶表示装置２における右目用の画像の書込み終了タイミングから第４特定時間ＩＰ４遅延して第１液晶パネル３Ｌを非透過状態から透過状態に切替えている。これにより、画面の輝度傾斜をさらに改善することができる。
【００９５】
左目用の画像と右目用の画像が混在する期間があっても、第１光源９３及び第２光源９５の点灯／消灯を制御することにより、ユーザは、立上り期間と立下り期間に、左目用の画像と右目用の画像が混在していないように観察することができる。そして、画面内の輝度レベルの均一性が向上し、画質の向上を図ることができる。  
上記のことから、表示品位に優れた画像表示システムを得ることができる。
【００９６】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００９７】
第１特定時間ＩＰ１は、種々変形可能であり、最大で、左目用の画像の書込み終了タイミングから、表示画像への左目用の画像の混在率が最小となるまでの期間に設定することができる。
【００９８】
第２特定時間ＩＰ２は、種々変形可能であり、最大で、右目用の画像の書込み終了タイミングから、表示画像への右目用の画像の混在率が最小となるまでの期間に設定することができる。
【００９９】
第３特定時間ＩＰ３は、種々変形可能であり、最大で、左目用の画像の書込み終了タイミングから、表示画像への右目用の画像の混在率が最大となるまでの期間に設定することができる。
【０１００】
第４特定時間ＩＰ４は、種々変形可能であり、最大で、右目用の画像の書込み終了タイミングから、表示画像への左目用の画像の混在率が最大となるまでの期間に設定することができる。
【０１０１】
駆動部５は、受信部７で受信した信号を基に、第１液晶パネル及び第２液晶パネルを駆動することができればよい。例えば、駆動部５は、受信部７で受信した液晶表示装置２からの同期信号を基に、第１液晶パネル及び第２液晶パネルの駆動タイミングを決定することができる。その他の例では、受信部７が、第１液晶パネル及び第２液晶パネルの駆動タイミングの情報を持つ信号を液晶表示装置２から受信することにより、駆動部５が、第１液晶パネル及び第２液晶パネルを駆動してもよい。
【０１０２】
駆動部５は、筐体８に収容されているが、これに限定されるものではなく種々変形可能であり、例えば、一部又は全てが第１液晶パネル３Ｌ及び第２液晶パネル３Ｒに設けられていてもよい。
【０１０３】
第１液晶パネル３Ｌ及び第２液晶パネル３Ｒは、ノーマリーホワイト型であるが、これに限定されるものではなく、設計を調整することにより、電圧を印加しない状態で光遮断状態となるノーマリーブラック型であってもよい。
【０１０４】
液晶シャッタ１は、メガネ装着型の液晶シャッタに限定されるものではなく、種々変形可能であり、この場合、メガネフレーム４以外の部材に取付けられていればよい。  
液晶表示装置は、上述した液晶表示装置２に限定されるものではなく、種々変形可能であり、各種の液晶表示装置を利用することができる。
【符号の説明】
【０１０５】
１…液晶シャッタ、２…液晶表示装置、３Ｌ…第１液晶パネル、３Ｒ…第２液晶パネル、５…駆動部、７…受信部、１０，２０…電極基板、３０…液晶層、５０…液晶表示パネル、６３…走査線、９０…バックライトユニット、９２…導光体、９３…第１光源、９５…第２光源、１００…制御部、１１０…送信部、ＩＰ１…第１特定時間、ＩＰ２…第２特定時間、ＩＰ３…第３特定時間、ＩＰ４…第４特定時間、ＣＰ１…第１一定期間、ＣＰ２…第２一定期間。
【図１】
2013031063.tif 000003
【図２】
2013031063.tif 000004
【図３】
2013031063.tif 000005
【図４】
2013031063.tif 000006
【図５】
2013031063.tif 000007
【図６】
2013031063.tif 000008
【図７】
2013031063.tif 000009
【図８】
2013031063.tif 000010
【図９】
2013031063.tif 000011
【図１０】
2013031063.tif 000012
【図１１】
2013031063.tif 000013
【図１２】
2013031063.tif 000014
【図１３】
2013031063.tif 000015
【図１４】
2013031063.tif 000016
【図１５】
2013031063.tif 000017
【図１６】
2013031063.tif 000018
【図１７】
2013031063.tif 000019
【図１８】
2013031063.tif 000020
【図１９】
2013031063.tif 000021
【図２０】
2013031063.tif 000022
【図２１】
2013031063.tif 000023